(57)【要約】【課題】釣り糸を引く合わせのタイミングを自動的に判断して、魚をしっかりと針掛かりさることができ、必要に応じて、希望する対象魚にしぼって針掛かりさせて釣り上げることもできる釣り具を提供すること。【解決手段】釣り糸３の巻き取りを行う巻き取り手段４４と、釣り糸を介して伝えられる魚の食い付き行動時の振動を検出する検出手段４７と、魚種毎の魚の食い付き行動時の振動パターンをデータ化して登録したデータベース４５と、検出手段で検出された振動パターンをデータベースの振動パターンと比較して魚の食い付き行動時の振動パターンであるか否かを判断する判断手段４８と、判断手段において魚の食い付き行動時の振動パターンであると判断したときに巻き取り手段に巻き取り指示信号を出力する制御部４０とを備えている。【選択図】図４
2006067831.tif 000002
【特許請求の範囲】
【請求項１】
釣り糸の巻き取りを行う巻き取り手段と、
釣り糸を介して伝えられる魚の食い付き行動時の振動を検出する検出手段と、
魚種毎の魚の食い付き行動時の振動パターンをデータ化して登録したデータベースと、
前記検出手段で検出された振動パターンを前記データベースに登録されている振動パターンと比較して対象魚の食い付き行動時の振動パターンと同一であるか否かを判断する判断手段と、
前記判断手段において対象魚の食い付き行動時の振動パターンであると判断したときに前記巻き取り手段に巻き取り指示信号を出力する制御部と、
を備えた釣り糸の巻き取り制御ユニット。
【請求項２】
釣り糸の巻き取りを行う巻き取り手段と、
釣り糸を介して伝えられる魚の食い付き行動時の振動を検出する検出手段と、
あらかじめ魚種毎に登録された食い付き行動時の振動パターンをデータ化して魚名と関連づけて登録したデータベースと、
釣り上げを希望する魚種名を入力する入力手段と、
前記検出手段で検出された振動パターンを前記データベースに登録されている振動パターンと比較して前記入力手段で入力された魚種であるか否かを判断する判断手段と、
前記判断手段において前記釣り上げを希望する魚種であるときには前記巻き取り手段に巻き取り指示信号を出力する制御部と、
を備えた釣り糸の巻き取り制御ユニット。
【請求項３】
釣り竿に装着される電動リールを備え、
前記電動リールは、請求項１又は請求項２記載の釣り糸の巻き取り制御ユニットを含む、自動合わせ釣り装置。
【請求項４】
釣り竿の竿先とリールとの間に装着される合わせ装置を備え、
前記合わせ装置は、請求項１又は請求項２記載の釣り糸の巻き取り制御ユニットを含む、自動合わせ釣り装置。
【請求項５】
釣り竿のグリップと竿先との間に設けられたヒンジを中心に竿先を煽る方向へ回動させる回動手段と、その回動手段の制御手段とを備え、
前記制御手段は、釣り糸を介して伝えられる魚の食い付き行動時の振動を検出する検出手段と、魚種毎の魚の食い付き行動時の振動パターンをデータ化して登録したデータベースと、前記検出手段で検出された振動パターンを前記データベースに登録されている振動パターンと比較して対象魚の食い付き行動時の振動パターンと同一であるか否かを判断する判断手段と、前記判断手段において対象魚の食い付き行動時の振動パターンであると判断したときに、前記回動手段に回動指示信号を出力する制御部と、を備えた自動合わせ釣り装置。
【請求項６】
前記制御手段は、釣り糸を介して伝えられる魚の食い付き行動時の振動を検出する検出手段と、あらかじめ魚種毎に登録された食い付き行動時の振動パターンをデータ化して魚名と関連づけて登録したデータベースと、釣り上げを希望する魚種名を入力する入力手段と、前記検出手段で検出された振動パターンを前記データベースに登録されている振動パターンと比較して前記入力手段で入力された魚種であるか否かを判断する判断手段と、前記判断手段において前記釣り上げを希望する魚種であるときには前記巻き取り手段に巻き取り指示信号を出力する制御部と、を備えた請求項５に記載の自動合わせ釣り装置。
【発明の詳細な説明】
【技術分野】
【０００１】
本発明は、釣り糸を介して伝えられる魚の食い付き行動時の振動を検出して自動合わせを可能にするための釣り糸の巻き取り制御ユニット及び自動合わせ釣り装置に関する。
【背景技術】
【０００２】
漁獲方法の一つに、釣り具を利用する方法は従来から広く知られている。釣り具の中でも、釣り糸を巻いたリールを釣り竿に装着して用いる釣り具は、磯釣りや防波堤釣り等に限らず、レジャーボート、遊漁船、職業船等の船釣りにおいても広く普及している。
【０００３】
ところで、このようにリール付きの釣り竿を利用しての釣りでは、釣り針に魚を針掛かりさせるタイミングの取り方、即ち、竿先を煽ったり釣り糸を巻いたりする、いわゆる「合わせ」のタイミングが難しい。なぜなら、針掛かりする魚種は多種類に及び、その魚種毎に食い付き行動時の釣り糸の微妙な引き方（あたり）の態様が異なるからである。
【０００４】
この「あたり」は、釣り糸を介してリール及び釣り竿に伝えられるが、「あたり」の態様が魚種毎に異なるだけでなく、同一魚種でも季節や大きさ等によって相違することがあるため、釣り糸を引く「合わせ」のタイミングはさらに難しくなる。その結果、特に、釣りの初心者ではその釣果を大きく低下させてしまうことになる。
【０００５】
近年、電動リールの普及が進み、１０ｍ前後の浅場から２００ｍ以上の深場の船釣りまで活発に行われている。船釣りでは、波浪による船体の揺れの影響が釣り竿や釣り糸、リール等に直接及ぶため、「あたり」の判断が難しく、この点からも「合わせ」のタイミングが難しい。
【０００６】
特許文献１には、超音波を利用して比較的深海でも確実に魚掛かりを検知できる一本釣り漁における自動釣り装置の技術が開示されている。この自動釣り装置は、釣り具とウインチと魚掛かり検知器とを備え、釣り具先端近傍には魚掛かり検知器と、複数の超音波振動子と、魚掛かり検知器の信号に基づいて各超音波振動子を駆動して超音波信号を送出する送波回路と、これらを作動させる電源とを装備し、船側には超音波信号を受波してウインチに制御信号を送出する受波振動子及び受波回路を設けたものである。
【０００７】
この自動釣り装置では、魚掛かり（針掛かり）したことを検知してからウインチを巻き上げる考え方を採用している。したがって、まだ針掛かりしていない、いわゆる「あたり」があった状態から「合わせ」の操作によってタイミング良くかつしっかりと針掛かりさせるという考え方はない。即ち、この自動釣り装置には、熟練者の技である魚種毎に対応した「合わせ」の操作を行うことができない問題がある。さらに、単に針掛かりした魚の全てを吊り上げる方法であるため、釣り上げを希望する魚種のみを吊り上げることも不可能である。
【特許文献１】特開平５−２８４８８２号公報
【発明の開示】
【発明が解決しようとする課題】
【０００８】
よって、本発明の課題は、釣り糸を引く合わせのタイミングを自動的に判断して、魚をしっかりと針掛かりさせることができ、必要に応じて、希望する対象魚にしぼって針掛かりさせて釣り上げることもできる、釣り糸の巻き取り制御ユニット及び自動合わせ釣り装
置の技術を提供することにある。
【課題を解決するための手段】
【０００９】
本発明に係る釣り糸の巻き取り制御ユニットは、釣り糸の巻き取りを行う巻き取り手段と、釣り糸を介して伝えられる魚の食い付き行動時の振動を検出する検出手段と、魚種毎の魚の食い付き行動時の振動パターンをデータ化して登録したデータベースと、検出手段で検出された振動パターンをデータベースに登録されている振動パターンと比較して対象魚の食い付き行動時の振動パターンと同一であるか否かを判断する判断手段と、判断手段において対象魚の食い付き行動時の振動パターンであると判断したときに巻き取り手段に巻き取り指示信号を出力する制御部と、を備えている。
【００１０】
ここで、魚の食い付き行動時の振動パターンとは、熟練した釣り師が感知するあたり時の振動パターンを、振動ｆ［Ｈｚ］、あたり間隔Ｔ［ｓ］、引きの強さＦ［Ｎ］などの物理量を用いて魚種毎にモデル化したものをいう。
【００１１】
本発明によれば、検出手段によって魚の食い付き行動時の釣り糸に伝わる振動を検出し、判断手段によって魚の食い付き行動時の振動パターンをデータベースに登録してある振動パターンと比較し、魚の食い付き行動時の振動パターンであると判断したときに、制御部によって巻き取り手段に巻き取り指示信号を出力して釣り糸を巻き上げることで「合わせ」の操作を行う。これにより、タイミング良くかつしっかりと魚を針掛かりさせることができる。
【００１２】
また、本発明に係る釣り糸の巻き取り制御ユニットは、釣り糸の巻き取りを行う巻き取り手段と、釣り糸を介して伝えられる魚の食い付き行動時の振動を検出する検出手段と、あらかじめ魚種毎に登録された食い付き行動時の振動パターンをデータ化して魚名と関連づけて登録したデータベースと、釣り上げを希望する魚種名を入力する入力手段と、検出手段で検出された振動パターンをデータベースの振動パターンと比較して入力手段で入力された魚種であるか否かを判断する判断手段と、判断手段において釣り上げを希望する魚種であるときには巻き取り手段に巻き取り指示信号を出力する制御部と、を備えている。
【００１３】
この発明によれば、あらかじめ魚種毎に登録された食い付き行動時の振動パターンをデータ化して魚名と関連づけて登録したデータベースと、釣り上げを希望する魚種名を入力する入力手段とを備えているので、必要に応じて、希望する対象魚にしぼって針掛かりさせて釣り上げることができる。したがって、希望しない対象魚はできるかぎり針掛かりさせないように自動制御することができる。
【００１４】
本発明に係る自動合わせ釣り装置は、釣り竿に装着される電動リールを備え、その電動リールは、前記釣り糸の巻き取り制御ユニットを含むことを特徴としている。
【００１５】
この発明によれば、既存の電動リールは巻き取り指示信号によってスプールが回転し、釣り糸を巻き上げる機能を備えているので、この機能を巻き取り手段として利用（兼用）することで、自動合わせできる釣り糸の巻き取り制御ユニットを装備した電動リールを比較的低コストで製作することができる。
【００１６】
本発明に係る自動合わせ釣り装置は、釣り竿の竿先とリールとの間に装着される合わせ装置を備え、その合わせ装置は、前記釣り糸の巻き取り制御ユニットを含むことを特徴としている。
【００１７】
この発明によれば、手動リールを用いた釣り竿でも対応可能にすることができる。
【００１８】
本発明に係る自動合わせ釣り装置は、釣り竿のグリップと竿先との間に設けられたヒンジを中心に竿先を煽る方向へ回動させる回動手段と、その回動手段の制御手段とを備え、制御手段は、釣り糸を介して伝えられる魚の食い付き行動時の振動を検出する検出手段と、魚種毎の魚の食い付き行動時の振動パターンをデータ化して登録したデータベースと、検出手段で検出された振動パターンをデータベースに登録されている振動パターンと比較して対象魚の食い付き行動時の振動パターンと同一であるか否かを判断する判断手段と、判断手段において対象魚の食い付き行動時の振動パターンであると判断したときに、回動手段に回動指示信号を出力する制御部と、を備えたことを特徴としている。
【００１９】
この発明によれば、釣り竿のグリップと竿先との間に設けられたヒンジを中心に竿先を煽る方向へ回動させる回動手段と、その回動手段の制御手段とを備えているので、釣り竿を自動的に直接煽ることができる。これにより、竿釣りにおいて通常行う合わせ動作と同じような操作とすることができる。
【００２０】
ここで、制御手段としては、釣り糸を介して伝えられる魚の食い付き行動時の振動を検出する検出手段と、あらかじめ魚種毎に登録された食い付き行動時の振動パターンをデータ化して魚名と関連づけて登録したデータベースと、釣り上げを希望する魚種名を入力する入力手段と、前記検出手段で検出された振動パターンを前記データベースに登録されている振動パターンと比較して前記入力手段で入力された魚種であるか否かを判断する判断手段と、前記判断手段において前記釣り上げを希望する魚種であるときには前記巻き取り手段に巻き取り指示信号を出力する制御部と、を備えた構成を採用することもできる。
【発明の効果】
【００２１】
本発明によれば、釣り糸を引く合わせのタイミングを自動的に判断して、魚をしっかりと針掛かりさせることができ、必要に応じて、希望する対象魚にしぼって針掛かりさせて釣り上げることもできる、釣り糸の巻き取り制御ユニット及び自動合わせ釣り装置を提供することができる。
【発明を実施するための最良の形態】
【００２２】
（第１の実施形態）
以下、本発明の好適な実施の形態について、図面を参照して説明する。
図１は、本発明の実施の形態に係る自動合わせ釣り装置の概要図であり、図２は電動リールの斜視図である。図３は電動リールの一部の概略平面図である。図４は本発明の実施の形態に係る釣り糸の巻き取り制御ユニットの機能ブロック図である。図５は検出部の原理図である。
【００２３】
この実施の形態に係る自動合わせ釣り装置は、図１に示すように、釣り竿１と、釣り竿１に装着される電動リール２と、電動リール２によって巻き取られる釣り糸（道糸）３とを備えている。釣り糸３の先端には釣り針付きの仕掛けが設けられる。
【００２４】
電動リール２は、図２に示すように、釣り竿１に装着される装着部を有するリール本体２１と、リール本体２１の側部に配置されたスプール回転用のハンドル２２と、リール本体２１の側部とハンドル２２との間に設けられたドラグ調整用のスタードラグ２３と、リール本体２１の上部に設けられたケース部材２４とを備えている。
【００２５】
リール本体２１は、左右１対の側板２５ａ、２５ｂとそれらを連結する複数の連結部２６とからなるフレーム２５と、フレーム２５の左右を覆う左右の側カバー２７ａ、２７ｂとを有している。ハンドル２２側の側カバー２７ｂには、ハンドル２２の図示しない回転軸が回転自在に支持されている。
【００２６】
リール本体２１の内部には、ハンドル２２に連結されたスプール２８が回転自在に支持されている。スプール２８の内部には、スプール２８を糸巻き上げ方向に回転駆動するモータ２９が配置されている。また、側カバー２７ｂのハンドル２２側の側面には図示しないクラッチ機構を操作するためのクラッチレバー３０が配置されている。後部の連結部２６の側板２５ａ側には図示しない外部電源及び後述する合わせ情報の入力装置（パソコン等）を接続するためのリールコード３１が装着されている。
【００２７】
ケース部材２４は、リール本体２１の上部に配置されたアルミニウム合金製のケースであり、内部の空間に各種の電気部品が収納されている。ケース部材２４の上面には、透明樹脂製の表示窓を介して仕掛けの水深や棚位置を水面からと底からとの２つの基準でリールに関する情報を表示するための液晶ディスプレイからなる第１表示部５と、第１表示部５の周囲に配置された操作キー部６とが設けられている。操作キー部６は、後述する、釣り上げ希望魚種名の入力キー（入力手段）としても機能する。
【００２８】
第１表示部５は、図３に示すように、数字や文字、アイコン等を表示するための液晶ディスプレイであり、例えば、「底から」、「学習」、「指定」、「下巻」、「修正」、「入力」、「糸送止」、「０セット」等のリールに関する一般情報の他、後述する「情報収集」、「希望魚種名」を文字やアイコン等で表示可能である。
【００２９】
操作キー部６は、第１表示部５の図３右側に上下に並べて配置された変速キー６１、６２及び情報収集入力キー６３、釣り上げ希望魚種名入力キー６４と、図３左側に上下に並べて配置された底メモキー６５及びモードキー６６とを有している。変速キー６１、６２は、駆動されたモータ２９を増減速するためのキーであり、変速キー６１を押すと増速し、変速キー６２を押すと減速する。
【００３０】
底メモキー６５は、仕掛けが底に到達したときに押されるスイッチであり、そのときの水深が底として設定される。モードキー６６は、複数種類の糸巻モードに切り替えるため、及び後述する第１合わせモード、第２合わせモードに切り替えるためのスイッチである。
【００３１】
ケース部材２４の内部には、図４に示すように、水深表示制御やモータ駆動制御等を行うＣＰＵ、ＲＡＭ、ＲＯＭ、Ｉ／Ｏインターフェイス等を含むマイクロコンピュータからなる制御部４０を有している。制御部４０には、操作キー部６の各種キー、スプール２８の回転位置及び方向を検出するためのスプールセンサ４１、スプールセンサ４１からの所定パルス毎に値が変化するスプールカウンタ４２が接続されている。
【００３２】
また、制御部４０には、各種の表示を行うための第１表示部５、各種のデータを記憶する記憶部４５、モータ２９をＰＷＭ駆動するＦＥＴを含むＰＷＭ駆動回路４４、及び情報入力部４６が接続されている。
【００３３】
さらに、制御部４０には、釣り竿１および釣り糸３を介して伝えられる魚の食い付き行動時の振動を検出する検出部４７が接続されている。図４において、制御部４０は判断部４８を有する。そして、この判断部４８に、検出部４７で検出した魚の食い付き行動時の振動パターンを示すデータが伝送される。
【００３４】
検出部４７には、釣り竿１および釣り糸３に伝えられる振動（振動パターン）を光学的、電気的あるいは機械的に検出して電気信号として出力する振動感知センサが利用される。この振動感知センサを設ける位置は、センサ自体の検出原理や構造、大きさ等によっても異なるが、この実施形態では、リール本体２１の釣り糸ガイド（道糸ガイド）部分に設けられている。
【００３５】
図５は、検出部４７を構成する振動感知センサの構成を原理図として示したものである。この振動感知センサは、釣り糸３に伝えられる振動（振動パターン）を高精度ロータリエンコーダを用いて、角度の変位と速度を示す電気信号（パルス）に変換する。即ち、この振動感知センサは、高精度ロータリエンコーダ４７０と、第１プーリ４７１および第２プーリ４７２と、調整ばね４７３とを備えている。
【００３６】
ロータリエンコーダ４７０も釣り糸３との摩擦によって回転する回転プーリ４７４を有する。そして、これら回転プーリ４７４、第１プーリ４７１、第２プーリ４７２の各回転軸は、その軸線が図示のように互いに並行にかつ一列に並ぶように配置されている。即ち、回転プーリ４７４が第１プーリ４７１を中心にしてリール本体のスプールと反対側に配置され、第２プーリ４７２がスプール側（釣り糸３の巻き取り方向側）に配置されて横一列に並べられている。中央に位置する第１プーリ４７１は調整ばね４７３によって図５に示す定位置へ位置決めされている一方、調整ばねの附勢力に抗して一方向（図において矢印Ｃ、Ｄで示す上下方向）へ往復移動可能に構成されている。
【００３７】
釣り糸３は第１プーリ４７１によってＳ字状に湾曲された状態で、その巻き取り方向Ａ及び繰り出し方向Ｂのいずれの方向へも走行移動可能になっている。ここで、調整ばね４７３の主たる機能は回転プーリ４７４に対する釣り糸３の摩擦力を一定に保ち、魚の食い付き行動時の振動を回転プーリ４７４に対して機械的に高精度に伝達させることにある。回転プーリ４７４に対する釣り糸３の摩擦力は、摩擦係数が同一の場合、互いの接触面積（釣り糸３のプーリへの接触長）と接触強さによって左右される。したがって、釣り糸３に一定以上の張力が掛かると、中央に位置する第１プーリ４７１はＣ方向へ変位させられて接触長が短くなるように構成されている。この変位量は釣り糸３に掛かる張力に比例して大きくなるように設定されている。
【００３８】
なお、この検出部４７としては、リールからの釣り糸の負荷データを高精度に検出した負荷変動パターンを振動パターンの電気信号（パルス）として出力するようにしてもよい。
【００３９】
また、検出部４７としては、図６に示すように、釣り竿１および釣り糸３を介して伝えられた振動パターンを、釣り竿１に取り付けた加速度センサやジャイロセンサを用いて電気信号として出力するようにしてもよい。
【００４０】
また、図７に示すように、釣り竿１の先端に光学距離センサ４７ａを備えたガイド４７ｂを取り付けて、振動パターンを釣り竿１の先端のしなり長αとして検出してもよい。
【００４１】
記憶部４５には、制御プログラムや種々の表示データの他に、魚種毎の魚の食い付き行動時の振動パターンをデータ化して魚名と関連づけて登録されたデータベースが構築されている。
【００４２】
図８は、測定装置を用いて予め採取した魚種：「めじな」の振動パターンを示すもので、振動周波数ピークｆ＝約４．５ＫＨｚ、あたり間隔Ｔ＝４秒であった。図９は、魚種：「石鯛」の振動パターンを示すもので、振動周波数ピークｆ＝約１００Ｈｚ、あたり間隔Ｔ＝３秒であった。したがって、記憶部４５には、このような多種類に及ぶ魚種毎の食い付き行動時の振動パターンをデータ化して魚名と関連づけて登録されている。勿論、釣り上げを希望する魚種のみの振動パターンをデータ化して魚名と関連づけて登録してもよい。
【００４３】
データベースを構築する際の情報入力は、情報入力部４６を利用して行われる。その際
、釣り上げを希望する魚の情報の入力方法としては、あらかじめ作成した情報を外部より入力する方法と、本発明の釣り装置自体を用いて作成する方法とがある。あらかじめ作成した情報を外部より入力する方法では、情報入力部４６に接続して行なうケーブル伝送や無線伝送などの情報通信手段を用いてパソコンなどから本装置に転送する。あるいは、本装置の記憶部に使われるＲＯＭやフラッシュメモリなどの記憶素子を更新（交換）する。
【００４４】
本装置を用いてデータベースを作成する方法としては、実際に釣りを行うことにより本装置の検出部４７で検出した魚の食い付き行動時の振動パターンを記憶部４５に登録する。
【００４５】
判断部４８は、検出部４７で検出された振動パターンを、記憶部４５のデータベースの振動パターンと比較して魚の食い付き行動時の振動パターンであるか否かを判断する機能を有する。そして、制御部４０は、判断部４８において魚の食い付き行動時の振動パターンであると判断したときに巻き取り手段を構成するＰＷＭ駆動回路４４に巻き取り指示信号を出力する機能を有する（第１合わせモード）。
【００４６】
さらに、この判断部４８は、検出部４７で検出された振動パターンをデータベースの振動パターンと比較して、図３で示した釣り上げ希望魚種名入力キー６４で入力された魚種であるか否かを判断する機能を有する。そして、制御部４０は、判断部４８において釣り上げを希望する魚種名であるときには巻き取り手段を構成する駆動回路４４に巻き取り指示信号を出力する機能を有する（第２合わせモード）。
【００４７】
なお、第１合わせモードと第２合わせモードは、モードキー６６によって切り替え可能である。
【００４８】
次に、制御部４０によって行われる自動合わせの制御処理を、図４に示す機能ブロック図及び図１０に示す制御フローチャートに従って説明する。
まず、モードキー６６によって、第１合わせモードに設定されている場合について説明する。
【００４９】
ステップＳ１では、検出部４７で検出したあたり（振動情報）ＩＮの読み取りが行われる。即ち、釣り糸３を介して伝えられる魚の食い付き行動時の振動（あたり）が検出部４７により検出されると、その振動パターンに対応する振動情報が電気信号（パルス）として判断部４８に入力される。
【００５０】
判断部４８において振動情報ＩＮが検出されると（ステップＳ２）、ステップＳ３へ移行する。ステップＳ３では、釣り上げ希望魚種名入力キー６４からの魚種名情報ｉｎが入力されているか否かを判断する。ここで、モードキー６６によって第１合わせモードに設定され、魚種名情報ｉｎの入力なし（ＮＯ）の場合、ステップＳ４へ移行する。
【００５１】
ステップＳ４では、記憶部４５に格納されているデータベースから魚種１〜Ｎの振動パターンＤ（ｉ）のうち、魚種１の振動パターンが読み出される。次に、判断部４８で、検出部４７で検出したあたり（振動情報）ＩＮを、記憶部４５のデータベースから読み出した振動パターンＤ（ｉ）と比較して魚の食い付き行動時の振動パターンと同一（Ｄ（ｉ）＝ＩＮ）であるか否かを判断（比較）する（ステップ５）。
【００５２】
ステップＳ５において同一である（ＹＥＳ）と判断された場合、即ち、魚の食い付き行動時の振動パターンであると判断されたときには、ステップＳ９へ移行する。ステップＳ９では、制御部４０からＰＷＭ駆動回路４４に巻き取り指示信号が出力され、次いでＰＭＷ駆動回路４４からモータ２９にＰＷＭ信号が出力され（ステップＳ１０）、モータ２９
が駆動されてスプール２８が回転し（ステップＳ１１）、釣り糸３が巻き取られることにより、自動合わせ動作が行われる。
【００５３】
一方、ステップＳ５において同一でない（ＮＯ）と判断された場合には、記憶部４５から次（ｉ＋１）の魚種の振動パターンを読み出して比較し（ステップＳ６）、魚種Ｎの振動パターン情報まで順次読み出して比較する（ステップＳ７）。
【００５４】
ステップＳ７において、変数ｉが、ｉ＜ＮであるときにはステップＳ５へ戻り、魚種Ｎまでの比較動作が繰り返される。その比較動作が繰り返される過程で、（Ｄ（ｉ）＝ＩＮ）がＹＥＳとなった場合には、前述したステップＳ９以降の合わせ動作が行われる。変数ｉが、ｉ＞Ｎとなった場合にはステップＳ１へ戻り、次のＩＮの読み取りを行う。
【００５５】
次に、モードキー６６によって、第２合わせモードに設定されている場合について、図１０に示す制御フローチャートに従って説明する。
【００５６】
ステップＳ１では、検出部４７で検出したあたり（振動情報）ＩＮの読み取りが行われる。即ち、釣り糸３を介して伝えられる魚の食い付き行動時の振動（あたり）が検出部４７により検出されると、その振動パターンに対応する振動情報が電気信号（パルス）として判断部４８に入力される。
【００５７】
判断部４８において振動情報ＩＮが検出されると（ステップＳ２）、ステップＳ３へ移行する。ステップＳ３では、釣り上げ希望魚種名入力キー６４からの魚種名入力情報ｉｎが入力されているか否かを判断する。ここで、モードキー６６によって第２合わせモードに設定され、魚種名情報ｉｎの入力あり（ＹＥＳ）の場合、ステップＳ８へ移行する。
【００５８】
ステップＳ８では、魚名と関連付けて記憶部４５に格納されている魚種１〜Ｎの振動パターンＤ（ｉ）のうち、指定された魚種名の振動パターンＤ（ｉｎ）が読み出される。そして、検出部４７で検出したあたり（振動情報）ＩＮを、指定された魚種名の振動パターンＤ（ｉｎ）と比較して、指定された魚種名（釣り上げ希望魚種名入力キー６４で入力された魚種）であるか否かを判断する。
【００５９】
ＹＥＳの場合には、ステップＳ９へ移行し、制御部４０からＰＷＭ駆動回路４４に巻き取り指示信号が出力され、ＰＭＷ駆動回路４４からモータ２９にＰＷＭ信号が出力され（ステップＳ１０）、モータ２９が駆動されてスプール２８が回転し（ステップＳ１１）、釣り糸３が巻き取られることにより、自動合わせ動作が行われる。
【００６０】
一方、ステップＳ８において、ＮＯと判断された場合には、ステップＳ１へ戻り、次のＩＮの読み取りを行う。
【００６１】
なお、この自動合わせ動作におけるスプール２８の回転動作については、自動合わせに必要な時間だけ、例えば１〜３秒間だけ一時的に回転させる制御方法を採用してもよい。また、スプール２８の回転速度については、釣り糸３を引く合わせの速さに直接的に関係する。この合わせの速さを魚種によって相違させる方が望ましい場合には、巻き取り指示信号に加えて巻き取り速度指示信号を出力する制御方法を採用してもよい。
【００６２】
また、合わせ情報については、魚の種類や大きさなどの釣り対象の情報に加えて、季節、気温などの使用環境の情報をも含ませることが好ましい。さらに、釣り名人などの合わせ情報をパッケージとして用意することもできる。
【００６３】
（第２の実施形態）
図１１は、本発明に係る自動合わせ装置の他の実施形態を示す概略斜視図であり、図１２はその要部の動作原理図である。この実施形態の自動合わせ装置は、手動リールやリールを用いない竿でも対応可能に構成したものである。即ち、釣り竿１のグリップ１ａ部分にはヒンジ１ｂが設けられ、そのヒンジ１ｂを支点にして竿先１ｃ側が上方へ回動可能に構成されている。ヒンジ１ｂにはモータ１ｄが組み込まれており、モータ１ｄの駆動信号によって、図１２に示す仮想線の位置から実線の位置へ向けて竿先を煽る形態の合わせ動作を行うことができるように構成されている。これにより、釣り竿１のグリップ１ａと竿先との間に設けられたヒンジ１ｂを中心にして竿先を煽る方向へ回動させる回動手段が構成されている。
【００６４】
検出部としては、図５〜図７に示した振動感知センサを好適に採用することができる。検出部で検出した振動情報の処理やモータ１ｄの駆動制御を行う制御部（マイクロコンピュータ）を含む制御手段としては、電源（電池）と共にグリップ１ａ部分に装備（内蔵）する構成としてもよい。
【００６５】
回動手段の制御を行うための、制御部を含む制御手段としては、図４に示した巻き取りユニットの考え方を採用することができる。その場合、制御手段は、釣り糸を介して伝えられる魚の食い付き行動時の振動を検出する検出手段と、魚種毎の魚の食い付き行動時の振動パターンをデータ化して登録したデータベースと、検出手段で検出された振動パターンをデータベースに登録されている振動パターンと比較して対象魚の食い付き行動時の振動パターンと同一であるか否かを判断する判断手段と、判断手段において対象魚の食い付き行動時の振動パターンであると判断したときに、回動手段に回動指示信号を出力する制御部と、を備えた構成とすることができる。なお、モータの代わりにばね（ぜんまい）を用いてもよい。
【００６６】
（第３の実施形態）
図１３は、本発明に係る自動合わせ装置のさらに他の実施形態を示す原理図であり、図１４はそれを背面側から見た概略斜視図である。この実施形態の自動合わせ装置は、手動リールを用いた釣り竿でも対応可能に構成したものである。
【００６７】
この自動合わせ装置は、釣り竿の竿先とリールとの間に装着される合わせ装置を備え、その合わせ装置は、釣り糸の巻き取り制御ユニットを含む。その構成としては、ロータリエンコーダで振動を感知し、プーリをモータで回転させて合わせを行う。即ち、この自動合わせ装置は、釣り糸３に伝えられる振動（振動パターン）をロータリエンコーダを用いて、角度の変位と速度を示す電気信号（パルス）に変換する高精度ロータリエンコーダ４７０と、第１プーリ４７１および第２プーリ４７２と、調整ばね４７３と、第２プーリ４７３の駆動モータ４７Ｍとを備えている。
【００６８】
ロータリエンコーダ４７０も釣り糸３との摩擦によって回転する回転プーリ４７４を有する。そして、これら回転プーリ４７４、第１プーリ４７１、第２プーリ４７２の各回転軸は、その軸線が図示のように互いに並行にかつ一列に並ぶように配置されている。即ち、回転プーリ４７４が第１プーリ４７１を中心にして竿先側に配置され、第２プーリ４７２が手動リール側に配置されて横一列に並べれている。中央に位置する第１プーリ４７１は調整ばね４７３によって図１３に示す定位置へ位置決めされている一方、調整ばねの附勢力に抗して一方向（図において矢印Ｃ、Ｄで示す上下方向）へ往復移動可能に構成されている。
【００６９】
釣り糸３は第１プーリ４７１によってＳ字状に湾曲された状態で、その巻き取り方向Ａ及び繰り出し方向Ｂのいずれの方向へも走行移動可能になっている。調整ばね４７３の機能は図５で説明したものと同様であり、さらに、ロータリエンコーダ４７０、第１プーリ
４７１、第２プーリ４７２も同様の機能である。しかし、この実施の形態では、駆動モータ４７Ｍが設けられ、その駆動モータ４７Ｍの出力軸に第２プーリ４７２が取り付けられている点で相違している。これにより、振動感知センサ（検出部）の機能と、合わせのための釣り糸自動巻き取り機能とを有する構成となっている。検出部で検出した振動情報の処理や駆動モータ４７Ｍの駆動制御を行う制御部（コンピュータ）としては、例えば電源と共にロータリエンコーダのケース部分に装備（内蔵）する構成としてもよい。
【図面の簡単な説明】
【００７０】
【図１】本発明第１の実施形態に係る自動合わせ釣り装置の概要図
【図２】本発明の第１の実施形態に係る電動リールの斜視図。
【図３】本発明の第１の実施形態に係る電動リールの一部の概略平面図。
【図４】本発明の第１の実施形態に係る釣り糸の巻き取り制御ユニットの機能ブロック図。
【図５】本発明の第１の実施形態に係る検出部（振動感知センサ）の原理図。
【図６】本発明の第１の実施形態に係る検出部（振動感知センサ）の概略斜視図。
【図７】本発明の第１の実施形態に係る検出部（振動感知センサ）の概略斜視図
【図８】魚（めじな）の食い付き行動時の振動パターン例を示す説明図。
【図９】魚（石鯛）の食い付き行動時の振動パターン例を示す説明図。
【図１０】本発明の第１の実施形態に係る制御フローチャート。
【図１１】本発明の第２の実施形態に係る自動合わせ釣り装置の概要図。
【図１２】本発明の第２の実施形態に係る自動合わせ釣り装置の概要図。
【図１３】本発明の第３の実施形態に係る合わせ装置の原理図。
【図１４】本発明の第３の実施形態に係る合わせ装置を背面からみた概要図。
【符号の説明】
【００７１】
１  釣り竿
２  電動リール
２１ リール本体
２８ スプール
２９  モータ
５  第１表示部
６  操作キー部
４０  制御部
４４  ＰＷＭ駆動回路
４５  記憶部
４６  情報入力部
４７  検出部
４８  判断部
【図１】
2006067831.tif 000003
【図２】
2006067831.tif 000004
【図３】
2006067831.tif 000005
【図４】
2006067831.tif 000006
【図５】
2006067831.tif 000007
【図６】
2006067831.tif 000008
【図７】
2006067831.tif 000009
【図８】
2006067831.tif 000010
【図９】
2006067831.tif 000011
【図１０】
2006067831.tif 000012
【図１１】
2006067831.tif 000013
【図１２】
2006067831.tif 000014
【図１３】
2006067831.tif 000015
【図１４】
2006067831.tif 000016